(57)【要約】【課題】光ファイバの本数を増大させることなく、周波数の異なる複数の高周波信号の無線送信が可能な分散アンテナシステムを提供すること。【解決手段】分散アンテナシステム１は、制御装置２、光ファイバ４及びアンテナ装置３を備える。制御装置２は、複数の高周波信号を複数のパルス信号に変換する複数のパルス変調器２１＿１〜２１＿ｎと、複数のパルス信号を波長の異なる複数の光信号に変換する複数のＥＯ変換器２２＿１〜２２＿ｎと、複数の光信号を合波して合波信号を生成する合波器２３と、を有する。アンテナ装置３は、光ファイバ４によって伝送された合波信号を分波して、波長の異なる複数の光信号を生成する分波器３１と、分波器３１によって生成された複数の光信号を複数の電気信号に変換する複数のＯＥ変換器３２＿１〜３２＿ｎと、複数の電気信号を増幅して複数の高周波信号を再生する複数の増幅器３３＿１〜３３＿ｎと、を有する。【選択図】図１
2018067855.tif 000002
【特許請求の範囲】
【請求項１】
複数の高周波信号から、複数の光信号を合波した合波信号を生成する制御装置と、
前記合波信号を伝送する光ファイバと、
前記光ファイバによって伝送された前記合波信号から、前記複数の高周波信号を再生して無線送信するアンテナ装置と、
を備え、
前記制御装置は、
前記複数の高周波信号をそれぞれ複数のパルス信号に変換する複数のパルス変調器と、
前記複数のパルス信号をそれぞれ波長の異なる前記複数の光信号に変換する複数のＥＯ変換器と、
前記複数の光信号を合波して前記合波信号を生成する合波器と、
を有し、
前記アンテナ装置は、
前記光ファイバによって伝送された前記合波信号を分波して、波長の異なる前記複数の光信号を生成する分波器と、
前記分波器によって生成された前記複数の光信号をそれぞれ複数の電気信号に変換する複数のＯＥ変換器と、
前記複数の電気信号をそれぞれ増幅して前記複数の高周波信号を再生する複数の増幅器と、
を有する、分散アンテナシステム。
【請求項２】
前記合波器は、
前記複数の光信号の一部を合波して第１合波信号を生成する第１合波器と、
前記複数の光信号の残りの一部を合波して第２合波信号を生成する第２合波器と、
を有し、
前記光ファイバは、
前記第１合波信号を伝送する第１光ファイバと、
前記第２合波信号を伝送する第２光ファイバと、
を有し、
前記分波器は、
前記第１光ファイバによって伝送された前記第１合波信号を分波して、前記複数の光信号の一部を生成する第１分波器と、
前記第２光ファイバによって伝送された前記第２合波信号を分波して、前記複数の光信号の残りの一部を生成する第２分波器と、
を有する、請求項１に記載の分散アンテナシステム。
【請求項３】
複数の前記アンテナ装置として第１アンテナ装置及び第２アンテナ装置を備え、
前記合波器は、
前記複数の光信号を合波して第１合波信号を生成する第１合波器と、
前記複数の光信号を合成して第２合波信号を生成する第２合波器と、
を有し、
前記光ファイバは、
前記第１合波信号を伝送する第１光ファイバと、
前記第２合波信号を伝送する第２光ファイバと、
を有し、
前記第１アンテナ装置に設けられた前記分波器は、前記第１光ファイバによって伝送された前記第１合波信号を分波して、波長の異なる前記複数の光信号を生成し、
前記第２アンテナ装置に設けられた前記分波器は、前記第２光ファイバによって伝送された前記第２合波信号を分波して、波長の異なる前記複数の光信号を生成する、
請求項１に記載の分散アンテナシステム。
【請求項４】
複数の前記アンテナ装置として第１アンテナ装置及び第２アンテナ装置を備え、
前記光ファイバを複数に分岐させる分岐装置をさらに備え、
前記第１アンテナ装置に設けられた前記分波器は、前記分岐装置によって複数に分岐された前記光ファイバの一つによって伝送された前記合波信号を分波して、波長の異なる前記複数の光信号を生成し、
前記第２アンテナ装置に設けられた前記分波器は、前記分岐装置によって複数に分岐された前記光ファイバの他の一つによって伝送された前記合波信号を分波して、波長の異なる前記複数の光信号を生成する、
請求項１に記載の分散アンテナシステム。
【請求項５】
各前記パルス変調器は、
前記高周波信号の振幅を検出して振幅信号を出力する振幅検出器と、
前記高周波信号の位相を検出して位相信号を出力する位相検出器と、
前記位相信号に基づいてパルス波形のパルス位相信号を生成するパルス位相信号生成器と、
前記振幅信号を前記パルス位相信号に同期してΔΣ変調するΔΣ変調器と、
前記ΔΣ変調器の出力信号と、前記パルス位相信号と、を混合して前記パルス信号を生成する混合器と、を有する、
請求項１〜４の何れか一項に記載の分散アンテナシステム。
【請求項６】
前記複数の増幅器は、何れもスイッチングアンプである、
請求項５に記載の分散アンテナシステム。
【請求項７】
請求項１〜６の何れか一項に記載の分散アンテナシステムと、
前記複数の高周波信号をそれぞれ前記分散アンテナシステムに送信する複数の基地局装置と、
を備えた、無線通信システム。
【請求項８】
複数の高周波信号をそれぞれ複数のパルス信号に変換するステップと、
前記複数のパルス信号をそれぞれ波長の異なる複数の光信号に変換するステップと、
前記複数の光信号を合波して合波信号を生成するステップと、
前記合波信号を、光ファイバを介して伝送するステップと、
前記光ファイバによって伝送された前記合波信号を分波して、波長の異なる前記複数の光信号を生成するステップと、
生成された前記複数の光信号をそれぞれ複数の電気信号に変換するステップと、
前記複数の電気信号をそれぞれ増幅して前記複数の高周波信号を再生するステップと、
再生された前記複数の高周波信号を無線送信するステップと、
を備えた、無線通信方法。
【請求項９】
前記合波信号を生成するステップでは、
前記複数の光信号を合波して第１合波信号を生成するステップと、
前記複数の光信号を合成して第２合波信号を生成するステップと、
を有し、
前記合波信号を伝送するステップでは、
前記第１合波信号を、第１光ファイバを介して伝送するステップと、
前記第２合波信号を、第２光ファイバを介して伝送するステップと、
を有し、
第１アンテナ装置において、
前記合波信号を分波して前記複数の光信号を生成するステップとして、前記第１光ファイバによって伝送された前記第１合波信号を分波して、波長の異なる前記複数の光信号を生成するステップを有し、
生成された前記複数の光信号をそれぞれ複数の電気信号に変換するステップと、
前記複数の電気信号をそれぞれ増幅して前記複数の高周波信号を再生するステップと、
再生された前記複数の高周波信号を無線送信するステップと、
をさらに有し、
第２アンテナ装置において、
前記合波信号を分波して前記複数の光信号を生成するステップとして、前記第２光ファイバによって伝送された前記第２合波信号を分波して、波長の異なる前記複数の光信号を生成するステップを有し、
生成された前記複数の光信号をそれぞれ複数の電気信号に変換するステップと、
前記複数の電気信号をそれぞれ増幅して前記複数の高周波信号を再生するステップと、
再生された前記複数の高周波信号を無線送信するステップと、
をさらに有する、請求項８に記載の無線通信方法。
【請求項１０】
前記合波信号を伝送するステップでは、
前記合波信号を第１及び第２合波信号に分岐して、それぞれ第１及び第２光ファイバを介して伝送するステップを有し、
第１アンテナ装置において、
前記合波信号を分波して前記複数の光信号を生成するステップとして、前記第１光ファイバによって伝送された前記第１合波信号を分波して、波長の異なる前記複数の光信号を生成するステップを有し、
生成された前記複数の光信号をそれぞれ複数の電気信号に変換するステップと、
前記複数の電気信号をそれぞれ増幅して前記複数の高周波信号を再生するステップと、
再生された前記複数の高周波信号を無線送信するステップと、
をさらに有し、
第２アンテナ装置において、
前記合波信号を分波して前記複数の光信号を生成するステップとして、前記第２光ファイバによって伝送された前記第２合波信号を分波して、波長の異なる前記複数の光信号を生成するステップを有し、
生成された前記複数の光信号をそれぞれ複数の電気信号に変換するステップと、
前記複数の電気信号をそれぞれ増幅して前記複数の高周波信号を再生するステップと、
再生された前記複数の高周波信号を無線送信するステップと、
をさらに有する、請求項８に記載の無線通信方法。
【請求項１１】
分散アンテナシステムに用いられる制御装置であって、
複数の高周波信号をそれぞれ複数のパルス信号に変換する複数のパルス変調器と、
前記複数のパルス信号をそれぞれ波長の異なる複数の光信号に変換する複数のＥＯ変換器と、
前記複数の光信号を合波して合波信号を生成する合波器と、
を有し、
前記合波信号を光ファイバを介して、無線送信する他の装置に伝送する、制御装置。
【発明の詳細な説明】
【技術分野】
【０００１】
本開示は、分散アンテナシステム、無線通信システム、無線通信方法及びその制御装置に関し、例えば周波数の異なる複数の高周波信号を無線送信するのに適した分散アンテナシステム、無線通信システム、無線通信方法及びその制御装置に関する。
【背景技術】
【０００２】
ビル構内、地下街、工場内等の電波不感地帯での無線通信の感度を向上させる手段として、分散アンテナシステムが知られている。分散アンテナシステムは、基地局装置との間で高周波信号の受け渡しを行う制御装置と、制御装置と分離して形成され電波不感地帯に配置されたアンテナ装置と、制御装置とアンテナ装置とを接続する光ファイバと、を備える。それにより、分散アンテナシステムは、電波不感地帯における無線通信の感度を向上させている。
【０００３】
さらに近年では、分散アンテナシステム装置の小型化が求められている。このような要求を満たすための関連する技術が特許文献１に開示されている。
【０００４】
特許文献１に開示された無線通信装置は、高周波信号を生成するベースバンド処理部と、アンテナを介して高周波信号の送受信を行う張り出し無線部と、これらを接続する光ケーブルと、を備える。ここで、ベースバンド処理部は、位相同期型ΔΣ変調器を用いて高周波信号を直接パルス信号に変換したうえで、光ケーブルを介して、張り出し無線部に伝送している。それにより、この無線通信装置は、張り出し無線部に中間周波数信号を高周波信号にアップコンバートするための周波数変換器を設ける必要がないため、回路規模を小型化することができる。
【先行技術文献】
【特許文献】
【０００５】
【特許文献１】特許第５９７５１１４号公報
【発明の概要】
【発明が解決しようとする課題】
【０００６】
ところで、分散アンテナシステムには、電波干渉を防ぐため、近接するアンテナ装置間では異なる周波数帯を用いて無線通信を行いたいという要求や、規格の異なる複数の無線通信を並行して行いたいという要求がある。つまり、分散アンテナシステムには、周波数帯の異なる複数の無線通信を並行して行うことが求められている。
【０００７】
しかしながら、特許文献１の構成を採用して分散アンテナシステムを構成した場合、光ケーブル（光ファイバ）の本数が使用周波数帯の数に比例して増大してしまうという問題がある。
【０００８】
本開示の目的は、このような問題点を解決するためになされたものであり、制御装置とアンテナ装置との間を接続する光ファイバの本数を増大させることなく、周波数の異なる複数の高周波信号を無線送信することが可能な分散アンテナシステム、無線通信システム、無線通信方法及びその制御装置を提供することにある。
【課題を解決するための手段】
【０００９】
本開示の一実施の形態によれば、分散アンテナシステムは、複数の高周波信号から、複数の光信号を合波した合波信号を生成する制御装置と、前記合波信号を伝送する光ファイバと、前記光ファイバによって伝送された前記合波信号から、前記複数の高周波信号を再生して無線送信するアンテナ装置と、を備え、前記制御装置は、前記複数の高周波信号をそれぞれ複数のパルス信号に変換する複数のパルス変調器と、前記複数のパルス信号をそれぞれ波長の異なる前記複数の光信号に変換する複数のＥＯ変換器と、前記複数の光信号を合波して前記合波信号を生成する合波器と、を有し、前記アンテナ装置は、前記光ファイバによって伝送された前記合波信号を分波して、波長の異なる前記複数の光信号を生成する分波器と、前記分波器によって生成された前記複数の光信号をそれぞれ複数の電気信号に変換する複数のＯＥ変換器と、前記複数の電気信号をそれぞれ増幅して前記複数の高周波信号を再生する複数の増幅器と、を有する。
【００１０】
本開示の一実施の形態によれば、無線通信方法は、複数の高周波信号をそれぞれ複数のパルス信号に変換するステップと、前記複数のパルス信号をそれぞれ波長の異なる複数の光信号に変換するステップと、前記複数の光信号を合波して合波信号を生成するステップと、前記合波信号を、光ファイバを介して伝送するステップと、前記光ファイバによって伝送された前記合波信号を分波して、波長の異なる前記複数の光信号を生成するステップと、生成された前記複数の光信号をそれぞれ複数の電気信号に変換するステップと、前記複数の電気信号をそれぞれ増幅して前記複数の高周波信号を再生するステップと、再生された前記複数の高周波信号を無線送信するステップと、を備える。
【００１１】
本開示の一実施の形態によれば、制御装置は、分散アンテナシステムに用いられる制御装置であって、複数の高周波信号をそれぞれ複数のパルス信号に変換する複数のパルス変調器と、前記複数のパルス信号をそれぞれ波長の異なる複数の光信号に変換する複数のＥＯ変換器と、前記複数の光信号を合波して合波信号を生成する合波器と、を有し、前記合波信号を光ファイバを介して、無線送信する他の装置に伝送する。
【発明の効果】
【００１２】
前記一実施の形態によれば、制御装置とアンテナ装置との間を接続する光ファイバの本数を増大させることなく、周波数の異なる複数の高周波信号を無線送信することが可能な分散アンテナシステム、無線通信システム、無線通信方法及びその制御装置を提供することができる。
【図面の簡単な説明】
【００１３】
【図１】実施の形態１にかかる分散アンテナシステムを示すブロック図である。
【図２】図１に示す分散アンテナシステムが採用された無線通信システムの概要を示す図である。
【図３】図１に示す分散アンテナシステムに設けられたパルス変調器の具体的な構成例を示すブロック図である。
【図４】図３に示すパルス変調器に設けられた振幅検出器の構成例を示す図である。
【図５】図３に示すパルス変調器に設けられた位相検出器の構成例を示す図である。
【図６】図３に示すパルス変調器に設けられた混合器の構成例を示す図である。
【図７】図３に示すパルス変調器に設けられた増幅器の構成例を示す図である。
【図８】図７に示す増幅器が設けられた場合における、分散アンテナシステムの動作を示すタイミングチャートである。
【図９】図３に示すパルス変調器の第１の変形例を示す図である。
【図１０】図１に示す分散アンテナシステムの変形例を示すブロック図である。
【図１１】実施の形態２にかかる分散アンテナシステムを示すブロック図である。
【図１２】図１１に示す分散アンテナシステムの第１の変形例を示す図である。
【図１３】図１１に示す分散アンテナシステムの第２の変形例を示す図である。
【発明を実施するための形態】
【００１４】
以下、図面を参照しつつ、実施の形態について説明する。なお、図面は簡略的なものであるから、この図面の記載を根拠として実施の形態の技術的範囲を狭く解釈してはならない。また、同一の要素には、同一の符号を付し、重複する説明は省略する。
【００１５】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、応用例、詳細説明、補足説明等の関係にある。以下の複数の実施の形態で説明する内容を、一部組み合わせて実施してもよい。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１６】
さらに、以下の実施の形態において、その構成要素（動作ステップ等も含む）は、特に明示した場合および原理的に明らかに必須であると考えられる場合等を除き、必ずしも必須のものではない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数等（個数、数値、量、範囲等を含む）についても同様である。
【００１７】
＜実施の形態１＞
図１は、実施の形態１にかかる分散アンテナシステム１を示すブロック図である。本実施の形態にかかる分散アンテナシステム１は、複数の基地局装置との間で高周波信号の受け渡しを行う制御装置と、ビル構内等の電波不感地帯に設けられたアンテナ装置と、の間を接続する光ファイバの本数を増大させることなく、周波数の異なる複数の高周波信号を無線送信することを可能にしている。以下、具体的に説明する。
【００１８】
図１に示すように、分散アンテナシステム１は、制御装置２と、アンテナ装置（送受信装置）３と、光ファイバ４と、を備える。なお、本実施の形態では、分散アンテナシステム１の構成要素のうち、無線送信に関する構成要素のみが示されており、無線受信に関する構成要素は省略されている。
【００１９】
制御装置２は、複数の基地局装置（不図示）のそれぞれとの間で周波数の異なる複数の高周波信号の受け渡し（受信）を行う。また、制御装置２は、複数の基地局装置から供給された複数の高周波信号から、複数の光信号を合波した合波信号を生成した後、光ファイバ４を介してアンテナ装置３に伝送（送信）する。さらに、制御装置２は、アンテナ装置３から光ファイバ４を介して伝送された合波信号から、アンテナ装置３において無線受信した高周波信号を再生する。
【００２０】
アンテナ装置３は、制御装置２と分離して形成され、ビル構内、地下街、工場内等の電波不感地帯に配置されている。アンテナ装置３は、制御装置２から光ファイバ４を介して伝送（送信）された合波信号から、複数の基地局装置から供給された複数の高周波信号を再生し、アンテナを介して外部に無線送信する。また、アンテナ装置３は、外部からアンテナを介して無線受信した複数の高周波信号を光信号に変換したうえで、光ファイバ４を介して、制御装置２に送信する。
【００２１】
（分散アンテナシステム１の適用事例）
なお、分散アンテナシステム１は、例えば図２に示すような無線通信システムＳＹＳ１に適用される。図２は、分散アンテナシステム１が適用された無線通信システムＳＹＳ１の構成例を示す図である。
【００２２】
図２を参照すると、無線通信システムＳＹＳ１は、複数の基地局装置１０＿１〜１０＿ｎ（ｎは２以上の整数）と、分散アンテナシステム１と、を備える。分散アンテナシステム１では、制御装置２が、複数の基地局装置１０＿１〜１０＿ｎとの間で周波数の異なる高周波信号の受け渡し（受信）を行う。また、アンテナ装置（送受信装置）３にはアンテナＡ＿１〜Ａ＿ｎが設けられている。アンテナ装置３からアンテナＡ＿１〜Ａ＿ｎを介して外部に複数の高周波信号が無線送信されたり、外部からアンテナＡ＿１〜Ａ＿ｎを介してアンテナ装置３に複数の高周波信号が無線受信されたりする。なお、無線通信システムＳＹＳ１は、上記の通信技術に限られず、ＭＩＭＯ（Multiple Input and Multiple Output）技術が採用されていてもよい。
【００２３】
続いて、分散アンテナシステム１の各構成要素の詳細について説明する。
【００２４】
（制御装置２の詳細）
図１に示すように、制御装置２は、ｎ（ｎは２以上の整数）個のパルス変調器２１＿１〜２１＿ｎと、ｎ個のＥＯ（Electrical to Optical）変換器２２＿１〜２２＿ｎと、１個の合波器２３と、を有する。以下、パルス変調器２１＿１〜２１＿ｎの任意の一つをパルス変調器２１とも称し、ＥＯ変換器２２＿１〜２２＿ｎの任意の一つをＥＯ変換器２２とも称す。
【００２５】
パルス変調器２１＿１〜２１＿ｎは、基地局装置１０＿１〜１０＿ｎから受信した周波数の異なる高周波信号Ｓｉｎ＿１〜Ｓｉｎ＿ｎをそれぞれパルス信号Ｓｐ＿１〜Ｓｐ＿ｎに変換する。以下、高周波信号Ｓｉｎ＿１〜Ｓｉｎ＿ｎの任意の一つを高周波信号Ｓｉｎとも称し、パルス信号Ｓｐ＿１〜Ｓｐ＿ｎの任意の一つをパルス信号Ｓｐとも称す。
【００２６】
（パルス変調器２１の具体的構成例）
図３は、パルス変調器２１の具体的な構成例を示すブロック図である。
【００２７】
図３に示すように、パルス変調器２１は、位相同期型ΔΣ変調器であって、振幅検出器２１１と、位相検出器２１２と、パルス位相信号生成器２１３と、ΔΣ変調器２１４と、混合器（ミキサ）２１５と、を備える。
【００２８】
（振幅検出器２１１）
振幅検出器２１１は、基地局装置１０から供給された高周波信号Ｓｉｎの振幅を検出して、振幅信号γとして出力する。以下、具体例を用いて詳細に説明する。
【００２９】
図４は、振幅検出器２１１の具体的構成の一例を示す図である。
図４に示すように、振幅検出器２１１は、ダイオードＤ１と、抵抗素子Ｒ１と、コンデンサＣ１と、を有する。ダイオードＤ１は、入力電圧の２乗に比例した電流を出力する。したがって、ダイオードＤ１は、高周波信号の振幅値が大きいほど、時間平均値の大きな電流を出力する。ダイオードＤ１の後段に設けられた抵抗素子Ｒ１及びコンデンサＣ１は、フィルタ回路を構成しており、ダイオードＤ１の出力電流に含まれるＤＣ（直流）成分のみを取り出す。このＤＣ成分はダイオードＤ１の出力電流の時間平均値に等しい。したがって、高周波信号の振幅値が大きくなるほど、ＤＣ成分は大きくなる。換言すると、ダイオードＤ１に入力される高周波信号の振幅値とダイオードＤ１の出力電流のＤＣ成分とは、単調増加の関係にあり、かつ、１対１の関係にある。このため、ダイオードＤ１の出力電流のＤＣ成分から高周波信号の振幅値の情報を抽出することが可能である。あるいは、振幅検出器２１１は、高周波信号を復調した後、デジタル信号処理によって、振幅成分を抽出してもよい。
【００３０】
（位相検出器２１２）
位相検出器２１２は、基地局装置１０から供給された高周波信号Ｓｉｎの位相を検出して、位相信号θとして出力する。以下、具体例を用いて詳細に説明する。
【００３１】
図５は、位相検出器２１２の具体的構成の一例を示す図である。
図５に示すように、位相検出器２１２は、コンパレータＣＭＰ１を有する。コンパレータＣＭＰ１は、入力信号が正の値の場合にＨレベルの位相信号θを出力し、入力信号が負の値の場合にＬレベルの位相信号θを出力する。ここで、高周波信号は、位相が０°〜１８０°の場合に正の値を示し、位相が１８０°〜３６０°の場合に負の値を示す。したがって、コンパレータＣＭＰ１は、高周波信号の位相が０°〜１８０°の場合にＨレベルの位相信号θを出力し、高周波信号の位相が１８０°〜３６０°の場合にＬレベルの位相信号θを出力する。
【００３２】
（パルス位相信号生成器２１３）
パルス位相信号生成器２１３は、位相信号θに基づいてパルス波形のパルス位相信号を生成する。以下、詳細に説明する。
【００３３】
位相検出器２１２に設けられたコンパレータＣＭＰ１の出力波形は、理想的には矩形波となる。しかし、実際には、コンパレータＣＭＰ１の出力側には寄生的な抵抗及び容量が存在するため、コンパレータＣＭＰ１の出力波形は正弦波に近づく。そこで、パルス位相信号生成器２１３は、正弦波に近づいた位相信号θを再び矩形波信号に成形する。
【００３４】
パルス位相信号生成器２１３は、位相検出器２１２の場合と同様に、コンパレータのみを有する構成であってもよい。しかしながら、パルス位相信号生成器２１３は、寄生パラメータにより矩形波が正弦波に戻ることを避けるため、コンパレータの後段に高い利得のアンプをさらに備えることが好ましい。それにより、パルス位相信号生成器２１３は、正弦波に近づいた位相信号θを再び矩形波信号に成形することが可能となる。
【００３５】
あるいは、位相検出器２１２は、高周波信号を復調した後、デジタル信号処理によって位相成分を抽出してもよい。この場合、パルス位相信号生成器２１３は、例えば抽出した位相成分を高周波にアップコンバートするための混合器と、混合器の出力を矩形波信号に変換するコンパレータと、によって構成される。
【００３６】
（ΔΣ変調器２１４）
ΔΣ変調器２１４は、パルス位相信号に同期して振幅信号γをΔΣ変調することにより、２値化されたΔΣ変調信号を出力する。以下、詳細に説明する。
【００３７】
ΔΣ変調器２１４は、振幅信号γに含まれる振幅情報の周波数成分よりも高い周波数のパルス位相信号に同期して、当該振幅信号γのサンプリング動作を行う。それにより、ΔΣ変調器２１４は、振幅信号γに含まれる多ビットの振幅情報を１ビットの振幅情報に変換してΔΣ変調信号として出力する。
【００３８】
なお、ΔΣ変調器２１４において発生する量子化雑音は、ナイキスト周波数で最も高くなり、周波数が低くなるほど小さくなる性質がある。そのため、ΔΣ変調器２１４を入力信号の周波数よりも高い周波数で動作させることにより、入力信号をナイキスト周波数よりも十分低い周波数領域に押し込めることが可能である。つまり、ΔΣ変調器２１４を入力信号の周波数よりも高い周波数で動作させることにより、入力信号が量子化雑音の影響を受けにくくなる。
【００３９】
（混合器２１５）
混合器２１５は、ΔΣ変調器２１４からのΔΣ変調信号と、パルス位相信号生成器２１３からのパルス位相信号と、を混合して高周波パルス信号Ｓｐを出力する。以下、具体例を用いて詳細に説明する。
【００４０】
図６は、混合器２１５の具体的構成の一例を示す図である。
図６に示すように、混合器２１５は、論理積回路ＡＮＤ１を有する。論理積回路ＡＮＤ１は、ΔΣ変調信号がＨレベルの場合、パルス位相信号をそのまま高周波パルス信号Ｓｐとして出力し、ΔΣ変調信号がＬレベルの場合、パルス位相信号に関わらずＬレベルの高周波パルス信号Ｓｐを出力する。ここで、ΔΣ変調信号は、高周波信号Ｓｉｎの振幅成分に相当し、パルス位相信号は、高周波信号Ｓｉｎの位相成分に相当する。そのため、高周波パルス信号Ｓｐは、アナログの高周波信号Ｓｉｎの情報を保持する２値化されたデジタルの高周波信号であるということができる。
【００４１】
図１に戻り、制御装置２の各構成要素の詳細な説明を続ける。
ＥＯ変換器２２＿１〜２２＿ｎは、パルス信号Ｓｐ＿１〜Ｓｐ＿ｎをそれぞれ波長の異なる光信号Ｓａ＿１〜Ｓａ＿ｎに変換する。例えば、高周波信号Ｓｉｎ＿１〜Ｓｉｎ＿４の周波数がそれぞれ８００ＭＨｚ、２．１ＧＨｚ、２．５ＧＨｚ、３．５ＧＨｚである場合、ＥＯ変換器２２＿１〜２２＿４は、パルス信号Ｓｐ＿１〜Ｓｐ＿４をそれぞれ１２９０ｎｍ、１３１０ｎｍ、１３３０ｎｍ、１３５０ｎｍの波長の光信号Ｓａ＿１〜Ｓａ＿４に変換する。以下、光信号Ｓａ＿１〜Ｓａ＿ｎの任意の一つを光信号Ｓａとも称す。
【００４２】
合波器２３は、波長の異なる光信号Ｓａ＿１〜Ｓａ＿ｎを合波して合波信号Ｓｍを生成する。この合波信号Ｓｍは、光ファイバ４によって、アンテナ装置３に伝送（送信）される。つまり、光波長多重通信が行われる。ここで、合波信号Ｓｍは、複数の高周波信号をそれぞれ複数の１ビットのデジタル信号に変換し、複数の光信号に変換し、その後、それらを合波することにより生成されているため、高周波のデジタル信号（光信号）ということができる。
【００４３】
（アンテナ装置３の詳細）
アンテナ装置３は、分波器３１と、ＯＥ（Optical to Electrical）変換器３２＿１〜３２＿ｎと、増幅器３３＿１〜３３＿ｎと、を有する。以下、ＯＥ変換器３２＿１〜３２＿ｎの任意の一つをＯＥ変換器３２とも称し、増幅器３３＿１〜３３＿ｎの任意の一つを増幅器３３とも称す。
【００４４】
分波器３１は、制御装置２から光ファイバ４を介して伝送された合波信号Ｓｍを分波して、波長の異なる複数の光信号Ｓｂ＿１〜Ｓｂ＿ｎを生成する。なお、光信号Ｓｂ＿１〜Ｓｂ＿ｎは、それぞれ合波前の光信号Ｓａ＿１〜Ｓａ＿ｎに相当する。以下、光信号Ｓｂ＿１〜Ｓｂ＿ｎの任意の一つを光信号Ｓｂとも称す。
【００４５】
ＯＥ変換器３２＿１〜３２＿ｎは、光信号Ｓｂ＿１〜Ｓｂ＿ｎをそれぞれ電気信号Ｓｅ＿１〜Ｓｅ＿ｎに変換する。なお、電気信号Ｓｅ＿１〜Ｓｅ＿ｎは、それぞれパルス信号Ｓｐ＿１〜Ｓｐ＿ｎに相当する。以下、電気信号Ｓｅ＿１〜Ｓｅ＿ｎの任意の一つを電気信号Ｓｅとも称す。
【００４６】
増幅器３３＿１〜３３＿ｎは、それぞれ電気信号Ｓｅ＿１〜Ｓｅ＿ｎを増幅することにより、高周波信号Ｓｏ＿１〜Ｓｏ＿ｎを生成する。なお、高周波信号Ｓｏ＿１〜Ｓｏ＿ｎは、それぞれ高周波信号Ｓｉｎ＿１〜Ｓｉｎ＿ｎに相当する。つまり、増幅器３３＿１〜３３＿ｎは、それぞれ電気信号Ｓｅ＿１〜Ｓｅ＿ｎを増幅することにより、高周波信号Ｓｉｎ＿１〜Ｓｉｎ＿ｎを再生している。これら高周波信号Ｓｏ＿１〜Ｓｏ＿ｎは、アンテナを介して外部に無線送信される。以下、高周波信号Ｓｏ＿１〜Ｓｏ＿ｎの任意の一つを高周波信号Ｓｏとも称す。
【００４７】
なお、図示していないが、必要に応じて、高周波信号Ｓｏ＿１〜Ｓｏ＿ｎのうち所望の周波数帯域を通過させる複数のバンドパスフィルタが設けられてもよい。
【００４８】
（増幅器３３）
図７は、増幅器３３の具体的構成の一例を示す図である。
図７に示すように、増幅器３３は、所謂Ｄ級アンプであって、ハイサイドゲートＳＷ１と、ローサイドゲートＳＷ２と、ハイサイドドライバＤＲ１と、ローサイドドライバＤＲ２と、インバータＩＮＶ１と、を備える。本実施の形態では、ハイサイドゲートＳＷ１及びローサイドゲートＳＷ２が、何れもデプレッション型のＮチャネル電界効果トランジスタである場合を例に説明する。
【００４９】
ハイサイドドライバＤＲ１は、電気信号Ｓｅをドライブして出力する。ローサイドドライバＤＲ２は、電気信号ＳｅをインバータＩＮＶ１により反転させた信号をドライブして出力する。
【００５０】
ハイサイドゲートＳＷ１では、ドレインが電源Ｖ１に接続され、ソースが増幅器３３の出力端子に接続され、ゲートにハイサイドドライバＤＲ１の出力が供給される。ローサイドゲートＳＷ２では、ドレインが増幅器３３の出力端子に接続され、ソースがグランドに接続され、ゲートにローサイドドライバＤＲ２の出力が供給される。
【００５１】
ハイサイドゲートＳＷ１は、ハイサイドドライバＤＲ１の出力信号に基づいてオンオフする。ローサイドゲートＳＷ２は、ローサイドドライバＤＲ２の出力信号に基づいて、ハイサイドゲートＳＷ１と相補的にオンオフする。そして、増幅器３３は、ハイサイドゲートＳＷ１とローサイドゲートＳＷ２との間のノード（増幅器３３の出力端子）から、電気信号Ｓｅ（パルス変調器２１から出力されたパルス信号Ｓｐに相当）の値に応じた電圧レベル（電源Ｖ１の電圧レベル、又は、グランドレベル）の高周波信号Ｓｏを出力する。つまり、増幅器３３は、パルス変調器２１から出力されたパルス信号Ｓｐのパルス波形を維持しつつ電力増幅する。
【００５２】
なお、Ｄ級アンプ型の増幅器３３とアンテナとの間に、電気信号Ｓｅに含まれる矩形波成分を除去し、高周波信号Ｓｉｎ成分のみを通過させるバンドパスフィルタをさらに設けてもよい。また、増幅器３３の構成は、Ｄ級アンプ型に限るものではなく、Ａ級、Ｂ級、ＡＢ級などの所謂線形アンプでも動作する。この場合、ＯＥ変換器３２と増幅器３３の間に、電気信号Ｓｅに含まれる矩形波成分を除去し、高周波信号Ｓｉｎ成分のみを通過させるバンドパスフィルタをさらに設けてもよい。
【００５３】
（タイミングチャート）
図８は、無線通信装置１の動作を示すタイミングチャートである。
図８には、位相検出器２１２から出力された位相信号θ、パルス位相信号生成器２１３から出力されたパルス位相信号、ΔΣ変調器２１４から出力されたΔΣ変調信号、混合器２１５から出力された高周波パルス信号Ｓｐ、及び、増幅器３３の出力電流が示されている。
【００５４】
高周波パルス信号Ｓｐ（混合器２１５の出力信号）は、パルス位相信号の何れかの信号変化（立ち上がりエッジ、又は、立ち下がりエッジ）のタイミングで、立ち上がり又は立ち下がる。ここで、パルス位相信号は、位相信号θが０°になるタイミングで立ち上がり、位相信号θが１８０°になるタイミングで立ち下がっている。そのため、高周波パルス信号Ｓｐ（混合器２１５の出力信号）は、高周波信号Ｓｉｎの位相が０°及び１８０になる何れかのタイミングで、立ち上がり又は立ち下がることになる。
【００５５】
増幅器３３は、入力信号と等しいパルス波形の出力信号を生成する。ここで、増幅器３３からフィルタ（不図示）に供給される電流は、増幅器３３の出力信号に包含される高周波信号成分（電圧）を負荷（アンテナ）の抵抗値で割った値に近似的に等しい。即ち、増幅器３３からフィルタ（不図示）に供給される電流の波形と、高周波信号Ｓｉｎの波形と、は等しくなる。換言すると、増幅器３３の出力電流の位相と高周波信号の位相とは一致する。
【００５６】
増幅器３３を構成するハイサイドゲートＳＷ１及びローサイドゲートＳＷ２のオンオフ遷移点が、混合器２１５の出力信号（高周波パルス信号Ｓｐ）の状態遷移点と一致することを考慮すると、ハイサイドゲートＳＷ１及びローサイドゲートＳＷ２のオンオフ遷移点における増幅器３３の出力電流の位相は０°又は１８０°である。即ち、ハイサイドゲートＳＷ１及びローサイドゲートＳＷ２のオンオフ遷移点においては、出力電流は瞬間的にゼロとなる。
【００５７】
それにより、分散アンテナシステム１では、増幅器３３に設けられたスイッチ素子のオンオフ遷移時の出力電流を少なくすることができるため、消費電力の増大を抑制することができる。
【００５８】
このように、本実施の形態にかかる分散アンテナシステム１では、制御装置２が、周波数の異なる高周波信号Ｓｉｎ＿１〜Ｓｉｎ＿ｎを、それぞれ、複数のパルス信号Ｓｐ＿１〜Ｓｐ＿ｎに変換し、波長の異なる複数の光信号Ｓａ＿１〜Ｓａ＿ｎに変換し、さらにそれらを合波したうえで、光ファイバ４を介して、アンテナ装置３に送信する。それにより、本実施の形態にかかる分散アンテナシステム１は、１本の光ファイバのみで、周波数の異なる複数の高周波信号をビル構内等の電波不感地帯に無線送信することができる。
【００５９】
なお、無線受信についても無線送信の場合と基本的には同様である。即ち、アンテナ装置３は、無線受信した複数の高周波信号を、それぞれ、複数のパルス信号に変換し、波長の異なる複数の光信号に変換し、さらにそれらを合波したうえで、光ファイバ４を介して、制御装置２に送信する。それにより、分散アンテナシステム１は、光ファイバの本数を増大させることなく、ビル構内等の電波不感地帯から周波数の異なる複数の高周波信号を無線受信することができる。当然ながら、無線受信の構成は、上記の構成に限定されるものではない。
【００６０】
本実施の形態では、パルス変調器２１が図３に示す位相同期型ΔΣ変調器である場合を例に説明したが、これに限られず、高周波信号の多ビット情報を１ビットのパルス信号に変換して出力可能な他の構成に適宜変更可能である。以下、パルス変調器２１の他の構成例を簡単に説明する。
【００６１】
（パルス変調器２１の第１変形例）
図９は、パルス変調器２１の第１の変形例をパルス変調器２１ａとして示す図である。
【００６２】
図９に示すように、パルス変調器２１ａは、ΔΣ変調器２１４＿１，２１４＿２と、混合器２１５＿１，２１５＿２と、３値パルス生成回路２１６と、遅延素子２１７と、加算器２１８と、混合器２１９＿１，２１９＿２と、発振器２２０と、移相器２２１と、を備える。
【００６３】
発振器２２０は、所定周波数の発振信号を生成する。移相器２２１は、発振器２２０の発振信号と同相の発振信号ｆｉを出力するとともに、発振器２２０の発振信号と９０度位相の異なる発振信号ｆｑを出力する。
【００６４】
混合器２１９＿１は、高周波信号Ｓｉｎと発振信号ｆｉとを混合することにより、高周波信号Ｓｉｎの同相成分Ｉを出力する。混合器２１９＿２は、高周波信号Ｓｉｎと発振信号ｆｑとを混合することにより、高周波信号Ｓｉｎの直交位相成分Ｑを出力する。
【００６５】
ΔΣ変調器２１４＿１は、高周波信号Ｓｉｎの同相成分ＩをΔΣ変調して２値化されたΔΣ変調信号Ｄｉを出力する。ΔΣ変調器２１４＿２は、高周波信号Ｓｉｎの直交位相成分ＱをΔΣ変調して２値化されたΔΣ変調信号Ｄｑを出力する。
【００６６】
３値パルス生成回路２１６は、１，０，−１の３値で表されるパルス信号Ｐｔを生成する。ここで、３値パルス生成回路２１６は、正振幅のパルスと負振幅のパルスとを周期的に交互に出力する。遅延素子２１７は、３値パルス生成回路２１６のパルス信号Ｐｔを１周期分遅延させたパルス信号ＰｔＢを出力する。つまり、パルス信号ＰｔＢは、パルス信号Ｐｔの反転信号である。
【００６７】
混合器２１５＿１は、ΔΣ変調器２１４＿１からのΔΣ変調信号Ｄｉ（高周波信号Ｓｉｎの同相成分Ｉを２値化した信号）と、パルス信号Ｐｔと、を混合して出力する。混合器２１５＿２は、ΔΣ変調器２１４＿２からのΔΣ変調信号Ｄｑ（高周波信号Ｓｉｎの直交位相成分Ｑを２値化した信号）と、パルス信号Ｐｔの反転信号であるパルス信号ＰｔＢと、を混合して出力する。そして、加算器２１８は、混合器２１５＿１，２１５＿２のそれぞれの出力を加算することで高周波パルス信号Ｓｐを出力する。
【００６８】
以上、分散アンテナシステム１では、パルス変調器２１ａが、図３に示す構成のパルス変調器２１の代わりに用いられてもよい。
【００６９】
（分散アンテナシステム１の変形例）
図１０は、分散アンテナシステム１の変形例を分散アンテナシステム１ａとして示す図である。分散アンテナシステム１ａは、分散アンテナシステム１と比較して、制御装置２及びアンテナ装置３に代えて制御装置２ａ及びアンテナ装置３ａを有するとともに、１本に光ファイバ４に代えて２本の光ファイバ４＿１，４＿２を有する。制御装置２ａは、制御装置２と比較して、２つの合波器２３＿１，２３＿２を有し、アンテナ装置３ａは、アンテナ装置３と比較して、２つの分波器３１＿１，３１＿２を有する。
【００７０】
制御装置２ａにおいて、合波器２３＿１は、ｎ個のＥＯ変換器２２＿１〜２２＿ｎのうちｍ（１≦ｍ＜ｎ）個のＥＯ変換器２２＿１〜２２＿ｍから出力された波長の異なる光信号Ｓａ＿１〜Ｓａ＿ｍを合波して合波信号Ｓｍ＿１を生成する。この合波信号Ｓｍ＿１は、光ファイバ４＿１によって、アンテナ装置３ａに伝送される。合波器２３＿２は、残りのｎ−ｍ個のＥＯ変換器２２＿ｍ＋１〜２２＿ｎから出力された波長の異なる光信号Ｓａ＿ｍ＋１〜Ｓａ＿ｎを合波して合波信号Ｓｍ＿２を生成する。この合波信号Ｓｍ＿２は、光ファイバ４＿２によって、アンテナ装置３ａに伝送される。
【００７１】
アンテナ装置３ａにおいて、分波器３１＿１は、制御装置２ａから光ファイバ４＿１を介して伝送された合波信号Ｓｍ＿１を分波して、波長の異なる複数の光信号Ｓｂ＿１〜Ｓｂ＿ｍを生成する。なお、光信号Ｓｂ＿１〜Ｓｂ＿ｍは、それぞれ合波前の光信号Ｓａ＿１〜Ｓａ＿ｍに相当する。分波器３１＿２は、制御装置２ａから光ファイバ４＿２を介して伝送された合波信号Ｓｍ＿２を分波して、波長の異なる複数の光信号Ｓｂ＿ｍ＋１〜Ｓｂ＿ｎを生成する。なお、光信号Ｓｂ＿ｍ＋１〜Ｓｂ＿ｎは、それぞれ合波前の光信号Ｓａ＿ｍ＋１〜Ｓａ＿ｎに相当する。
【００７２】
分散アンテナシステム１ａのその他の構成及び動作については、分散アンテナシステム１の場合と同様であるため、その説明を省略する。
【００７３】
分散アンテナシステム１ａは、分散アンテナシステム１と同等程度の効果を奏することができる。具体的には、分散アンテナシステム１ａは、２本の光ファイバ４＿１，４＿２のみで、周波数の異なる複数の高周波信号をビル構内等の電波不感地帯に無線送信することができる。さらに、分散アンテナシステム１ａでは、合波器１つ当たりによって合波される光信号の数が少なくなるため、高性能で高コストな合波器を用いずに、一般的な低コストの合波器を用いることができる。
【００７４】
図１０では、合波器及び分波器の組み合わせが２個である場合を例に説明したが、これに限られない。合波器及び分波器の組み合わせは、３個以上であってもよい。それにより、合波器１つ当たりによって合波される光信号の数、及び、分波器１つ当たりによって分波される光信号の数がさらに少なくなる。
【００７５】
＜実施の形態２＞
図１１は、実施の形態２にかかる分散アンテナシステム１ｂを示すブロック図である。分散アンテナシステム１ｂは、複数のアンテナ装置３としてｑ（ｑは２以上の整数）個のアンテナ装置３＿１〜３＿ｑを備える。また、分散アンテナシステム１ｂは、光ファイバ４をｑ本に分岐する分岐装置Ｂ１をさらに備える。
【００７６】
分岐装置Ｂ１は、光ファイバ４を、アンテナ装置３＿１〜３＿ｑの個数に応じてｑ本に分岐する。アンテナ装置３＿１〜３＿ｑに設けられたｑ個の分波器３１は、それぞれ分岐装置Ｂ１によって分岐されたｑ本の光ファイバを介して伝送された合波信号Ｓｍをそれぞれ分波する。
【００７７】
分散アンテナシステム１ｂのその他の構成及び動作については、分散アンテナシステム１の場合と同様であるため、その説明を省略する。
【００７８】
本実施の形態に係る分散アンテナシステム１ｂは、光ファイバの本数を増大させることなく、周波数の異なる複数の高周波信号をビル構内等の複数の電波不感地帯に無線送信することができる。換言すると、本実施の形態に係る分散アンテナシステム１ｂは、制御装置２と各アンテナ装置３＿１〜３＿ｑとの間を接続する光ファイバの数を１本のみにして、周波数の異なる複数の高周波信号を無線送信することができる。
【００７９】
本実施の形態では、アンテナ装置３＿１〜３＿ｑが同一構成である場合を例に説明したが、これに限られない。アンテナ装置３＿１〜３＿ｑは、趣旨を逸脱しない範囲で互いに異なる構成であってもよい。
【００８０】
（分散アンテナシステム１ｂの第１の変形例）
図１２は、分散アンテナシステム１ｂの第１の変形例を分散アンテナシステム１ｃとして示す図である。分散アンテナシステム１ｃでは、分散アンテナシステム１ｂと比較して、複数のアンテナ装置に対する光ファイバの分岐の手法が異なる。
【００８１】
分散アンテナシステム１ｃは、分散アンテナシステム１と比較して、制御装置２に代えて制御装置２ｃを備え、複数のアンテナ装置３として２個のアンテナ装置３＿１，３＿２を備え、光ファイバ４に加えて光ファイバ５をさらに備える。
【００８２】
制御装置２ｃは、制御装置２と比較して、ｎ個のＥＯ変換器２２＿１〜２２＿ｎに加えてｎ個のＥＯ変換器２４＿１〜２４＿ｎをさらに有し、かつ、合波器２３に加えて合波器２５をさらに有する。
【００８３】
ＥＯ変換器２４＿１〜２４＿ｎは、ＥＯ変換器２２＿１〜２２＿ｎと同様に、パルス信号Ｓｐ＿１〜Ｓｐ＿ｎをそれぞれ波長の異なる光信号Ｓａ＿１〜Ｓａ＿ｎに変換する。合波器２５は、ＥＯ変換器２４＿１〜２４＿ｎから出力された光信号Ｓａ＿１〜Ｓａ＿ｎを合波して合波信号Ｓｍを生成する。この合波信号Ｓｍは、光ファイバ５によって、アンテナ装置３＿２に伝送される。他方、合波器２３により生成された合波信号Ｓｍは、光ファイバ４によって、アンテナ装置３＿１に伝送される。
【００８４】
分散アンテナシステム１ｃのその他の構成及び動作については、分散アンテナシステム１の場合と同様であるため、その説明を省略する。
【００８５】
分散アンテナシステム１ｃも、分散アンテナシステム１ｂの場合と同様に、光ファイバの本数を増大させることなく、周波数の異なる複数の高周波信号をビル構内等の複数の電波不感地帯に無線送信することができる。換言すると、分散アンテナシステム１ｃは、制御装置２ｃと各アンテナ装置３＿１，３＿２との間を接続する光ファイバの数を１本のみにして、周波数の異なる複数の高周波信号を無線送信することができる。
【００８６】
図１２では、アンテナ装置３＿１，３＿２が同一構成である場合を例に説明したが、これに限られない。アンテナ装置３＿１，３＿２は、趣旨を逸脱しない範囲で互いに異なる構成であってもよい。また、図１２では、２つのアンテナ装置３＿１，３＿２が設けられた場合を例に説明したが、これに限られない。３個以上のアンテナ装置３＿１〜３＿ｑが設けられてもよい。この場合、制御装置２ｃの内部で伝送経路が３つ以上に分岐されることになる。
【００８７】
（分散アンテナシステム１ｂの第２の構成例）
図１３は、分散アンテナシステム１ｂの第２の変形例を分散アンテナシステム１ｄとして示す図である。分散アンテナシステム１ｄでは、分散アンテナシステム１ｂ，１ｃのそれぞれの光ファイバの分岐の手法が何れも採用されている。
【００８８】
分散アンテナシステム１ｄは、制御装置２ｃと、アンテナ装置３＿１〜３＿ｑと、分岐装置Ｂ１，Ｂ２と、光ファイバ４，５と、を備える。制御装置２ｃは、図１２に示す制御装置２ｃと同じ構成である。
【００８９】
分岐装置Ｂ１は、光ファイバ４を、アンテナ装置３＿１〜３＿ｐ（１≦ｐ＜ｑ）の個数に応じてｐ本に分岐する。アンテナ装置３＿１〜３＿ｐに設けられたｐ個の分波器３１は、それぞれ分岐装置Ｂ１によって分岐されたｐ本の光ファイバを介して伝送された合波信号Ｓｍを分波する。
【００９０】
分岐装置Ｂ２は、光ファイバ５を、アンテナ装置３＿ｐ＋１〜３＿ｑの個数に応じてｑ−ｐ本に分岐する。アンテナ装置３＿ｐ＋１〜３＿ｑに設けられたｑ−ｐ個の分波器３１は、それぞれ分岐装置Ｂ２によって分岐されたｑ−ｐ本に光ファイバを介して伝送された合波信号Ｓｍを分波する。
【００９１】
分散アンテナシステム１ｄのその他の構成及び動作については、分散アンテナシステム１ｂ、１ｃ等と同様であるため、その説明を省略する。
【００９２】
分散アンテナシステム１ｄも、分散アンテナシステム１ｂ，１ｃの場合と同様に、光ファイバの本数を増大させることなく、周波数の異なる複数の高周波信号をビル構内等の複数の電波不感地帯に無線送信することができる。換言すると、分散アンテナシステム１ｄは、制御装置２ｃと各アンテナ装置３＿１〜３＿ｑとの間を接続する光ファイバの数を１本のみにして、周波数の異なる複数の高周波信号を無線送信することができる。
【００９３】
図１３では、アンテナ装置３＿１〜３＿ｑが同一構成である場合を例に説明したが、これに限られない。アンテナ装置３＿１〜３＿ｑは、趣旨を逸脱しない範囲で互いに異なる構成であってもよい。また、図１３では、制御装置２ｃの内部で伝送経路が２つに分岐される場合を例に説明したが、これに限られない。制御装置２ｃの内部で伝送経路が３つ以上に分岐されてもよい。
【００９４】
以上のように、上記実施の形態１，２にかかる分散アンテナシステム及びそれを備えた無線通信システムでは、制御装置２が、周波数の異なる周波数信号を、それぞれ、複数のパルス信号に変換し、波長の異なる複数の光信号に変換し、さらにそれらを合波したうえで、光ファイバを介して、複数又は単体のアンテナ装置３に送信する。それにより、上記実施の形態１，２にかかる分散アンテナシステム及びそれを備えた無線通信システムは、光ファイバの本数を増大させることなく、周波数の異なる複数の高周波信号をビル構内等の電波俯瞰地帯にも無線送信することができる。
【００９５】
また、制御装置２の各パルス変調器２１に図３に示す位相同期型ΔΣ変調器が採用され、かつ、アンテナ装置３の各増幅器３３に図７に示すスイッチングアンプが採用された場合、分散アンテナシステムは、増幅器３３に設けられたスイッチ素子のオンオフ遷移時の出力電流を少なくすることができるため、消費電力の増大を抑制することができる。
【符号の説明】
【００９６】
ＳＹＳ１  無線通信システム
１  分散アンテナシステム
１ａ〜１ｄ  分散アンテナシステム
２  制御装置
２ａ，２ｃ  制御装置
３  アンテナ装置
３ａ  アンテナ装置
３＿１〜３＿ｑ  アンテナ装置
４  光ファイバ
４＿１，４＿２  光ファイバ
５  光ファイバ
１０＿１〜１０＿ｎ  基地局装置
２１  パルス変調器
２１ａ，２１ｂ  パルス変調器
２１＿１〜２１＿ｎ  パルス変調器
２２＿１〜２２＿ｎ  ＥＯ変換器
２３  合波器
２３＿１，２３＿２  合波器
２４＿１〜２４＿ｎ  ＥＯ変換器
２５  合波器
３１  分波器
３１＿１，３１＿２  分波器
３２＿１〜３２＿ｎ  ＯＥ変換器
３３  増幅器
３３＿１〜３３＿ｎ  増幅器
２１１  振幅検出器
２１２  位相検出器
２１３  パルス位相信号生成器
２１４  ΔΣ変調器
２１４＿１，２１４＿２  ΔΣ変調器
２１５  混合器
２１５＿１，２１５＿２  混合器
２１６  ３値パルス生成回路
２１７  遅延素子
２１８  加算器
２１９＿１，２１９＿２  混合器
２２０  発振器
２２１  移相器
２２２  混合器
Ａ＿１〜Ａ＿ｎ  アンテナ
ＡＮＤ１  論理積回路
Ｂ１  分岐装置
Ｂ２  分岐装置
Ｃ１  コンデンサ
ＣＭＰ１  コンパレータ
Ｄ１  ダイオード
ＤＲ１  ハイサイドドライバ
ＤＲ２  ローサイドドライバ
ＩＮＶ１  インバータ  Ｒ１  抵抗素子
ＳＷ１  ハイサイドゲート
ＳＷ２  ローサイドゲート
Ｖ１  電源
【図１】
2018067855.tif 000003
【図２】
2018067855.tif 000004
【図３】
2018067855.tif 000005
【図４】
2018067855.tif 000006
【図５】
2018067855.tif 000007
【図６】
2018067855.tif 000008
【図７】
2018067855.tif 000009
【図８】
2018067855.tif 000010
【図９】
2018067855.tif 000011
【図１０】
2018067855.tif 000012
【図１１】
2018067855.tif 000013
【図１２】
2018067855.tif 000014
【図１３】
2018067855.tif 000015